(57)【要約】【課題】左右肩紐をバック部の任意の位置に係止できる係止部を簡単に形成する。【解決手段】前面側の左右カップ部の脇側から背面側に延在するバック部を、伸縮性を有する広幅テープ材で形成し、前記広幅テープ材は、表側編成部と裏側編成部とを、上下幅方向の下側では重合させていると共に上側は分離させた断面Ｙ字形状の編成材からなり、前記編成材は、長さ方向に一定間隔をあけて、前記分離した表側編成部と裏側編成部の上端縁を重合して一体化させて左右開口の筒状の係止部を設けると共に、該係止部の左右両側に上端を重合せずに開放している差込開口を設け、任意の位置の前記差込開口から、肩紐に取り付けた係止具の横向き挿入係止片を、前記係止部の左右いずれかの開口に挿入自在とし、左右肩紐のバック側係止位置を変更できる構成としている。【選択図】図２
2008115496.tif 000002
【特許請求の範囲】
【請求項１】
前面側の左右カップ部の脇側から背面側に延在するバック部を、伸縮性を有する広幅テープ材で形成し、
前記広幅テープ材は、表側編成部と裏側編成部とを、上下幅方向の下側では重合させていると共に上側は分離させた断面Ｙ字形状の編成材からなり、
前記編成材は、長さ方向に一定間隔をあけて、前記分離した表側編成部と裏側編成部の上端縁を重合して一体化させて左右開口の筒状の係止部を設けると共に、該係止部の左右両側に上端を重合せずに開放している差込開口を設け、
任意の位置の前記差込開口から、肩紐に取り付けた係止具の横向き挿入係止片を、前記係止部の左右いずれかの開口に挿入自在とし、左右肩紐のバック側係止位置を変更できる構成としていることを特徴とするカップ部を有する衣類。
【請求項２】
前記差込開口を構成する前記表側編成部と裏側編成部の分離部には、前記下側の重合部から上端までの距離の中間位置まで重合部を延在させて抜止部を設けている請求項１に記載のカップ部を有する衣類。
【請求項３】
前記抜止部は前記係止部の左右開口と対向する左右両側に下向き傾斜辺を設けている請求項２に記載のカップ部を有する衣類。
【請求項４】
前記前面側の左右カップ部を分離して前中央開閉タイプとしたブラジャーからなり、
前記バック部の広幅テープ材は左右両端を左右カップ部の脇側端に連続させ、
前記左右の肩紐の係止具を、バック側で近接位置の前記係止部と係止し、或いは離反位置の係止部と係止したパラレル配置、更に、左右の肩紐をクロス配置できる構成としている請求項１乃至請求項３のいずれか１項に記載のカップ部を有する衣類。
【発明の詳細な説明】
【技術分野】
【０００１】
本発明は、カップ部を有する衣類に関し、特に、ブラジャーに好適に用いられ、左右肩紐のバック側係止位置を変更自在とするものである。
【背景技術】
【０００２】
従来、肩部、背中等を露出した種々のアウターに対応できるブラジャーとして、肩紐の位置を任意に移動できるブラジャーが提案されている。
例えば、実開昭５０―９８９２３号公報（特許文献１）では、図９に示すように、一対のブラカップを保持するためのバックフレーム１０３の上下両端縁に沿って平紐１００を縫着することによって添設し、平紐１００の上下幅方向の中央位置に等間隔に数多の透孔１０１を設けている。一方、肩紐１１０の一端にフック１１１を取り付け、このフック１１１の自由端を前記透孔１０１の隣接した２つに亘って嵌挿しているブラジャーが提案されている。
【０００３】
しかし、特許文献１のブラジャーは、平紐の上下両端縁をバックフレームに縫着する工程が必要となるため、製造工程が増加しコスト高になる問題がある。また、該ブラジャーは透孔が平紐の中間部に穿設されているため、バックフレームと平紐が二重になっている部分と肩紐とが重なって係止部付近の厚みが大きくなり、アウターに係止部のシルエットがひびきやすいという問題もある。
さらに、着用時に肩紐に張力が働くと、平紐の透孔（係止部）の上部がめくれ上がり、厚みが大きくなって着用感も悪くなるだけでなく、繰り返しの使用で透孔が広がってフックが抜けやすくなるという問題も発生する。
【０００４】
【特許文献１】実開昭５０―９８９２３号公報
【発明の開示】
【発明が解決しようとする課題】
【０００５】
前記した係止部上部のめくれ上がりを回避しようとすると、バックフレームと平紐の上端縁を非連続に縫着して係止部を設けた場合、このような縫着はミシン縫いの際に戻りが必要となるため、上端の縫製工程は非常に手間がかかるものとなり、製造工程が非常に煩雑なものとなる。
【０００６】
本発明は前記問題に鑑みてなされたもので、肩紐の係止位置を任意に変更できると共に、係止部にめくれ上がりが発生せず、かつ、肩紐を係止するバック布自体および該バック布への肩紐の係止部を薄くでき、アウターに係止部がひびかないカップ部を有する衣類を提供することを課題としている。
【課題を解決するための手段】
【０００７】
前記課題を解決するために、本発明は、前面側の左右カップ部の脇側から背面側に延在するバック部を、伸縮性を有する広幅テープ材で形成し、
前記広幅テープ材は、表側編成部と裏側編成部とを、上下幅方向の下側では重合させていると共に上側は分離させた断面Ｙ字形状の編成材からなり、
前記編成材は、長さ方向に一定間隔をあけて、前記分離した表側編成部と裏側編成部の上端縁を重合して一体化させて左右開口の筒状の係止部を設けると共に、該係止部の左右両側に上端を重合せずに開放している差込開口を設け、
任意の位置の前記差込開口から、肩紐に取り付けた係止具の横向き挿入係止片を、前記係止部の左右いずれかの開口に挿入自在とし、左右肩紐のバック側係止位置を変更できる構成としていることを特徴とするカップ部を有する衣類を提供している。
【０００８】
本発明のカップ部を有する衣類は、バック部を上下幅方向の下側では重合させていると共に上側部で表側編成部と裏側編成部が分離する断面Ｙ字形状の一枚の編成材からなる広幅テープ材で構成している。よって、前記特許文献１の平紐のような別部材を取り付けることなく、肩紐の係止片の係止部を形成することができる。そのため、煩雑な縫着工程を必要とせず、バック部に多数の係止部を間隔をあけて並設したカップ部を有する衣類を製造することができる。
なお、本明細書において重合とは、編機により一体編成することをいう。
【０００９】
また、前記したように、前記編成材の分離した前記表側編成部と裏側編成部の上端縁を重合して一体化し、上端が閉鎖していると共に左右両端が開口している筒状の係止部を設け、この左右のいずれかの開口に、隣接する上端開口の差込開口から、肩紐の係止具の挿入係止片は横入れで挿入することで係止部に係止することができる。即ち、肩紐の係止具の挿入係止片を広幅テープ材の上端付近に位置させることができ、その結果、特許文献１のブラジャーのように、肩紐とバック部が重なり合わず、係止片の係止部付近が厚くなり過ぎることがなく、アウターにひびきにくくすることができる。
【００１０】
さらに、上端が重合されずに開放されている差込開口を比較的大きく設定することができ、肩紐の着脱を容易に行うことができる。かつ、前記係止部は左右両端開口であるため、左右両側に隣接する差込開口のいずれの方向からも挿入係止片を挿入することができる。
【００１１】
かつ、本発明のカップ部を有する衣類は、前記係止部を左右方向に一定の隙間をあけて備えているので、左右の肩紐の係止具の挿入係止片を任意の位置の前記係止部に挿入することができる。これにより、左右肩紐のバック側係止位置を任意に変更することができ、首周り、胸、肩、背中等を露出した種々のアウターによって左右肩紐のバック側係止位置を変更することができる。
【００１２】
本発明のカップ部を有する衣類は、前記前面側の左右カップ部を分離して前中央開閉タイプとしたブラジャーとして、特に好適に用いられる。
この場合、前記バック部の広幅テープ材は左右両端を左右カップ部の脇側端に連続させ、バック部の全長に沿って、前記筒状係止部と差込開口を交互に設けている。
なお、必ずしもバック部を連続させて前開きタイプとする必要はなく、後面中央で分離した後開きタイプとしてもよく、この場合には、左右のバック部をそれぞれ前記広幅テープ材で形成し、その上縁に沿って筒状係止部と差込開口とを交互に設けている。
【００１３】
前記のように、バック部の全長に上縁に沿って係止部と差込開口とを交互に設けると、左右の肩紐の係止具を、バック側で近接位置に係止し、或いは離反位置に係止したバラレル配置とでき、更に、左右の肩紐をクロス配置できる。
例えば、首周り、胸部の露出が多い衣服を着用する場合には、左右肩紐のバック側係止位置を脇側に近くすることにより肩紐が見えるのを防止することができる。一方、肩部の露出が多い衣服の場合には、左右肩紐のバック側係止位置を中心側に近くすることにより肩紐が見えるのを防止することができる。
また、前述したように前記係止部では、左右いずれの方向からも挿入係止片を挿入することができるため、左右の肩紐をバッグ側で入れ替えてクロス配置として係止することができる。これにより、肩回りが大きく露出した衣服を着用した場合においてもアウターから肩紐が見えるのを防ぐことができる。さらに、クロス配置とすれば、激しい運動をしても肩紐をずれにくくすることができる。
【００１４】
また、アウターに合わせる目的のほか、左右肩紐のバック側係止位置を背面中心側とすることで、肩紐が肩からずれ落ちるのを防止することができる。通常、ブラジャー等のカップ部を有する衣類は、カップサイズ、アンダーバストのサイズにより着用サイズが決まるため、個人の肩幅、肩形状等の体型まで考慮されていないが、本発明のカップ部を有する衣類では、個人の体型に合わせて最適な位置に肩紐の位置を調節することができる。
さらに、左右肩紐のバック側係止位置を中心側とすることで、バストを上側に寄せ上げる効果もある。
【００１５】
バック部は伸縮性のある広幅のテープ材で設けているので、バック部が線状ではなく面状で皮膚に接し、皮膚が食い込みにくく、脇側から背中にかけてのシルエットを美しく保つことができる。
【００１６】
前記広幅テープ材を構成する編成材は、横伸び方向に弾性糸を含んた編成体からなることが好ましい。本発明で用いる上端縁に沿って係止部と差込開口を交互に備えた断面Ｙ字形状の広幅テープ材は編機により一体的に編成されているものである。よって、この広幅テープ材をバック部の素材自体として用いることで、複雑な縫製工程を経ることなく、肩紐のバック側取り付け位置を任意に変更できるカップ部を有する衣類を提供することができる。
【００１７】
前記係止部の数および係止部の間隔は、バック部の長さや使用する係止具のサイズ等により任意に変更することができる。
【００１８】
前記差込開口を構成する前記表側編成部と裏側編成部の分離部には、前記下側の重合部から上端までの距離の中間位置まで重合部を延在させて抜止部を設けていることが好ましい。
【００１９】
前記のように、差込開口の内部に突出する抜止部を設けると、係止部の左右開口の面積を、前記挿入係止片の挿入空間を確保しながら減少することができるため、一旦、係止部に挿入係止した係止具を抜けにくくすることができる。
【００２０】
前記抜止部は、前記係止部の左右開口と対向する左右両側に下向き傾斜辺を設けていることが好ましい。
前記構成とすれば、挿入係止片の挿入後は、前記抜止部の傾斜辺が挿入係止片を抑えるため、挿入係止片のぐらつきを抑えて安定して係止状態を保持することができる。
【００２１】
前記抜止部の形状は円弧状、多角形状等とすることができるが、多角形状とすることが好ましく、５角形あるいは６角形とするのが好適である。このように、抜止部を多角形として前記傾斜辺を設けると、係止具を着脱する際に滑りを防止することができ、より効果的に抜け止めを行うことができる。
【００２２】
なお、本発明のバック部に設ける係止部は、別体の係止部を取り付けて設けているのではなく、広幅テープ材自体の編成の仕方で形成しているため、係止部の位置は外部から分かりにくい。よって、係止部の位置を示す係止位置表示部を広幅テープ材に付けておくことが好ましい。
前記係止位置表示部は、例えば、前記広幅テープ材の係止部相当位置の表面編成部の一部を光沢糸、異形糸、色糸等で編成して形成することが好ましい。
【００２３】
さらに、前記表面編成部の位置には、肩紐を左右対称に係止するために符号等を付しておいてもよい。例えば、中央部から順に左右両端に向けてそれぞれ番号を付す、左右対称位置に同一の記号やマークを付す、左右対称に同一色の着色を行う等の形態が採用できる。
【００２４】
本発明のカップ部を有する衣類は、ブラジャーのほか、ブラスリップ、背中がブラジャー部分とパンティー部分とに分離したボディースーツ、ビキニタイプの水着等が挙げられる。
【発明の効果】
【００２５】
上述したように、本発明のカップ部を有する衣類は、バック部を伸縮性を有する広幅テープ材で形成し、該広幅テープ材は上下幅方向の上側で表側編成部と裏側編成部が分離する断面Ｙ字形状の編成材からなり、上縁に沿って筒状の係止部と差込開口を有する形状としているため、煩雑な製造工程を経ることなく、左右肩紐のバック側係止位置を変更できる。また、前記広幅テープ材の上端に沿って係止部を設けているので、肩紐の係止具を上端部に配置させることができ、アウターに係止部のシルエットがひびきにくくすることができると共に、着用時において係止具が引っ張られても係止部がめくれ上がることもない。
【００２６】
さらに、前記広幅テープ材の差込開口の内部には表側編成部と裏側編成部の重合部を延在させて抜止部を設けているため、肩紐の係止具の挿入係止片の通路を狭くでき、抜け止めを図ることができる。
【発明を実施するための最良の形態】
【００２７】
以下、本発明の実施形態を図面を参照して説明する。
図１乃至図６は本発明の第１実施形態に係るブラジャー１０を示す。
該ブラジャー１０は、左右カップ部１１、土台布１４、肩紐１５、バック部２０により構成している。左右の肩紐１５は両端に係止具１８、１９を取り付けると共に長さ調節金具４０を取り付け、肩紐１５を任意の長さに調節できるようにしている。
【００２８】
第１実施形態のブラジャー１０は前中央開閉タイプ（フロントホックタイプ）で留め具１７で開閉して着脱する構成としている。バック部２０は左右カップ部１１の脇側端１１ａに両端を縫着した１本の広幅テープ材２５で形成している。該広幅テープ材２５の表面にはストレッチレース２４を縫着している。
【００２９】
前記バック部２０を構成する広幅テープ材２５は、図２に示すように、表側編成部３１と裏側編成部３２とを上下幅方向の下側では重合させて一体に編成されていると共に、分離線３０から上側は分離させた断面Ｙ字形状の編成材からなる。本実施形態ではナイロン９２．７％、ポリウレタン７．３％のゴム帯からなる。
【００３０】
即ち、図２（Ａ）に示すように、下側範囲のＷ３は重合し、上側範囲のＷ２は分離している。本実施形態では、広幅テープ材２５の上下幅（Ｗ１＋Ｗ２＋Ｗ３）を２５ｍｍとしている。
また、分離した表側編成部３１と裏側編成部３２の上端は、表側編成部３１を若干短く形成している。
【００３１】
図２（Ｂ）（Ｃ）に示すように、広幅テープ材２５の上端縁は一定間隔（Ｌ２）をあけて表側編成部３１と裏側編成部３２とを重合して一体に編成して筒状の係止部３３を設けている。該係止部３３は上端３３ａが重合で閉鎖され、左右両端３３ｂ、３３ｃは開口している。
一方、左右両側の係止部３３に挟まれた部分の上端縁は、図２（Ｃ）に示されるように上端は重合されずに開放され差込開口３４としている。
【００３２】
広幅テープ材２５の表側編成部３１には、図２（Ａ）に示されるように、長方形状の係止位置表示部２９を付けて、係止部３３の位置が外部から分かるようにしている。
本実施形態では、表側編成部３１の編み糸の一部をナイロン異形糸とし、表面光沢を異ならせることにより係止位置表示部２９を形成している。
【００３３】
さらに、前記広幅テープ材２５の差込開口３４の内部には、表側編成部３１と裏側編成部３２との分離位置３０から上端に向けて表側編成部３１と裏側編成部３２を編立てて重合部を分離位置３０から上端までの中間位置まで延在させ、その左右両端に傾斜辺３６ａを設けた略六角形状の抜止部３６を設けている。
【００３４】
前記係止部３３に挿入係止する左右肩紐１５に取り付けた係止具１９は、図３（Ａ）に示す形状で、肩紐１５に取り付ける環状部１９ｂより横向きの挿入係止片１９ａが突出し、該挿入係止片１９ａの先端に小屈曲部１９ｃを設けた形状としている。該挿入係止片１９ａの長さは前記係止部３３の長さと対応させている。
【００３５】
本実施形態のブラジャー１０では、バック部を連続した広幅テープ材２５で形成し、その上縁の全長に沿って前記係止部３３と差込開口３４とを交互に設けているため、左右の肩紐１５に取り付けた係止具１９の挿入係止片１９ａを任意の位置の差込開口３４から差し込み、係止部３３の左右いずれか一方の開口から挿入することで、肩紐１５をバック部に係止することができる。
【００３６】
詳細には、係止具１９の挿入係止片１９ａを傾斜させ、その先端を差込開口３４を挿入し、抜止部３６と係止部３３へ左開口３３ｂの間を通して、上端３３ａが閉鎖された筒状の係止部３３内に挿入係止片１９ａを横向き姿勢に変換しながら差し込んでいく。挿入係止片１９ａの先端の小屈曲部１９ｃが係止部３３の右開口３３ｃから突出して上端３３ａに係止した状態で、図３（Ｂ）に示すように、挿入係止片１９ａは完全に横向き姿勢となり、係止部３３に係止された状態となる。
【００３７】
このように係止具１９は広幅テープ材２５の上端部で保持され、肩紐１５と広幅テープ材２５が重なり合うことはないため、係止部３３が厚くならず、アウターに響きにくい。また、着用時において係止具１９が引っ張られても係止部周辺がめくれ上がることもない。
また、抜止部３６の傾斜辺３６ａで係止具１９の挿入係止片１９ａの角部が固定されるので、係止具１９を抜けにくく、かつ、安定に保持することができる。
【００３８】
左右の肩紐１５の係止具１９のバック部への取付位置は、係止する係止部３３を選択することにより、図４〜図６に示す形態でバック部へ取り付けることができる。
図４〜図６は前中央の留め具１７を開いた状態で示し、図中、Ｙは広幅テープ材２５の長さ方向の中心（背面中心位置）を示す。各係止部３３の位置には係止位置表示部２９を設けている。
【００３９】
図４では、左右肩紐１５の係止具１９を、中心位置の係止部（係止位置表示部２９ａ）から左右共に２つ目の係止部で係止している。即ち、着用時においてはバック側で近接位置の係止部３３とパラレル状態で係止している状態としている。このように係止部を中央部付近とすれば、肩部の露出が多いアウターを着用した場合に肩紐を見えにくくすることができると共に、肩紐がずれにくくなる。さらに、バストを下部から持ち上げることができるので、バストの保形性にも優れる。
【００４０】
図５は、左右肩紐１５の係止具１９を、中心位置の係止部（係止位置表示部２９ａ）から左右と共に５つ目の係止部で係止している。即ち、着用時においてはバック側で離反位置の係止部３３とパラレル状態で係止している状態としている。このように係止部を離反位置とすれば、背中や胸部の露出が多いアウターを着用した場合に肩紐を見えにくくすることができる。
【００４１】
図６は、左右肩紐１５の係止具１９を、中心位置の係止部（係止位置表示部２９ａ）から左右共に２つ目の係止部でクロス配置として係止している。このようにクロス配置とすれば、肩部を露出したアウターを着用した場合に肩紐を見えにくくできると共に、肩紐をずれにくくすることができ、特に、激しい運動等を行う場合に適している。
【００４２】
また、図４乃至図６において、左右肩紐１５の長さは係止具１９の配置に応じて、長さ調節金具４０により適宜調節している。
【００４３】
なお、広幅テープ材２５の表側編成部３１には前記中央の係止位置表示部２９ａあるいは／及び他の係止位置表示部２９に符号等を付してもよい。
【００４４】
図７及び図８は第２実施形態のブラジャー１０−２を示す。
第２実施形態のブラジャー１０−２は、第１実施形態のブラジャー１０のような前中心開閉タイプではなく、土台布６１により左右カップ部１１が連結しており、背面側中央で左右に分離され、留め具７０で着脱自在に連結する構成としている。
バック部６０は広幅テープ材２５をストレッチレース２４に縫着して設けており、左右のカップ部１１と夫々連結している。
本実施形態においても、左右肩紐１５のバック側係止位置を任意の位置に変更することができる。他の構成及び効果は第１実施形態と同様であるため、同一符号を付して説明を省略する。
【図面の簡単な説明】
【００４５】
【図１】本発明の第１実施形態に係るブラジャーを示す全体斜視図である。
【図２】図１に示すブラジャーの広幅テープ材の（Ａ）は正面図、（Ｂ）は重合部を示す図、（Ｃ）は平面図、（Ｄ）は（Ｂ）のＡ−Ａ線断面図、（Ｅ）は（Ｂ）のＢ−Ｂ線断面図である。
【図３】図１に示すブラジャーの（Ａ）は係止具を示す図、（Ｂ）は図１のブラジャーの広幅テープ材に（Ａ）の係止具を装着した状態を示す図である。
【図４】図１に示すブラジャーの肩紐を近接位置の係止部と係止した状態を示す裏面図である。
【図５】図１に示すブラジャーの肩紐を離反位置の係止部と係止した状態を示す裏面図である。
【図６】図１に示すブラジャーの肩紐をクロス配置にした状態を示す裏面図である。
【図７】第２実施形態に係るブラジャーの全体斜視図である。
【図８】図７のブラジャーの肩紐を係止した状態を示す裏面図である。
【図９】従来例を示す図である。
【符号の説明】
【００４６】
１０    ブラジャー
１１    カップ布
１４     土台布
１５    肩紐
１７     留め具
１９    係止具
１９ａ  挿入係止片
２０、６０    バック部
２４    ストレッチレース
２５    広幅テープ材
３０    分離線
３１    表側編成部
３２    裏側編成部
３３    係止部
３４    差込開口
３６    抜止部
【図１】
2008115496.tif 000003
【図２】
2008115496.tif 000004
【図３】
2008115496.tif 000005
【図４】
2008115496.tif 000006
【図５】
2008115496.tif 000007
【図６】
2008115496.tif 000008
【図７】
2008115496.tif 000009
【図８】
2008115496.tif 000010
【図９】
2008115496.tif 000011